(57)【要約】【課題】冷却除湿ユニットと吸着除湿ユニットとを用いて調湿空間を除湿する除湿システムにおいて、再生能力を向上させる。【解決手段】除湿システム（10）の再生用空気通路（50）を給気通路（40）の第１及び第２除湿ユニット（60,20）の間から分岐させ、冷却除湿された給気の一部を第２除湿ユニット（20）の再生側吸着熱交換器の再生用空気として用いる。また、再生用空気通路（50）の再生側吸着熱交換器の下流側に設けられた熱回収熱交換器（68）と、再生側吸着熱交換器の上流側に設けられた再生熱交換器（65）とが接続され、熱回収熱交換器（68）において再生用空気から冷媒に熱を回収すると共に回収された熱が再生熱交換器（65）において再生用空気に放出されるように冷媒を循環させる冷媒回路（50a）を除湿システム（10）に設ける。【選択図】図１
2014126268.tif 000002
【特許請求の範囲】
【請求項１】
室外から調湿空間（S）へ空気を導く給気通路（40）と、
上記給気通路（40）に設けられ、給気を冷却して除湿する冷却除湿ユニット（60）と、
圧縮機（21）と膨張機構（23）と表面に吸着剤が設けられた２つの吸着熱交換器（22,24）とが接続されて冷媒の循環方向が交互に切り換わる冷媒回路（20a）を有し、上記２つの吸着熱交換器（22,24）のうちの蒸発器として機能する除湿側吸着熱交換器が上記給気通路（40）の上記冷却除湿ユニット（60）の下流側に設けられるように構成された吸着除湿ユニット（20）とを備えて上記調湿空間（S）を除湿する除湿システムであって、
上記給気通路（40）の上記冷却除湿ユニット（60）と上記吸着除湿ユニット（20）との間から分岐して上記冷却除湿ユニット（60）で除湿された給気の一部が、上記２つの吸着熱交換器（22,24）のうちの凝縮器として機能する再生側吸着熱交換器を再生するための再生用空気として流れる再生用空気通路（50）と、
上記再生用空気通路（50）の上記再生側吸着熱交換器の上流側に設けられた放熱器（65）と、上記再生用空気通路（50）の上記再生側吸着熱交換器の下流側に設けられた吸熱器（68）とが接続され、該吸熱器（68）において再生用空気から熱媒体に熱を回収すると共に回収された熱が上記放熱器（65）に搬送されて再生用空気に放出されるように熱媒体を循環させる熱媒体回路とを備えている
ことを特徴とする除湿システム。
【請求項２】
請求項１において、
上記熱媒体回路は、上記熱媒体である冷媒が循環して冷凍サイクルを行う冷媒回路（50a）である
ことを特徴とする除湿システム。
【請求項３】
請求項１又は２において、
上記給気通路（40）の上記除湿側吸着熱交換器の下流側に設けられた吸着ロータ（31）と、
上記吸着ロータ（31）が設けられて該吸着ロータ（31）を再生するための再生用空気が流れる第２再生用空気通路（51）とを備え、
上記第２再生用空気通路（51）の流出端は、上記再生用空気通路（50）の上記放熱器（65）の上流側に接続されている
ことを特徴とする除湿システム。
【請求項４】
請求項３において、
上記第２再生用空気通路（51）は、流入端が上記給気通路（40）の上記除湿側吸着熱交換器と上記吸着ロータ（31）との間に接続されると共に、上記吸着ロータ（31）の上流側に再生用空気を加熱する加熱器（69）が設けられている
ことを特徴とする除湿システム。
【請求項５】
請求項１乃至４のいずれか１つにおいて、
上記調湿空間（S）はドライクリーンルームである
ことを特徴とする除湿システム。
【発明の詳細な説明】
【技術分野】
【０００１】
本発明は、表面に吸着剤が設けられた吸着熱交換器を有する吸着除湿ユニットを用いて調湿空間を除湿する除湿システムに関するものである。
【背景技術】
【０００２】
従来から、表面に吸着剤が設けられた吸着熱交換器を用いて調湿空間の除湿を行う吸着除湿ユニットが知られている（下記の特許文献１を参照）。
【０００３】
上記吸着除湿ユニットは、圧縮機と膨張機構と２つの吸着熱交換器とが接続されて冷媒循環方向が所定時間毎に交互に切り換わる冷媒回路を有している。吸着除湿ユニットの蒸発器として機能する吸着熱交換器では、通過する空気中の水分が吸着剤に吸着される吸着動作が行われ、その際に生じる吸着熱が冷媒に吸収される。一方、凝縮器として機能する吸着熱交換器では、吸着剤に吸着された水分を冷媒によって加熱することによって吸着剤から脱離させて吸着剤を再生する再生動作が行われる。つまり、上記吸着除湿ユニットでは、２つの吸着熱交換器が、蒸発器と凝縮器とに交互に切り換わることにより、吸着動作と再生動作とを交互に行う。そして、上記吸着除湿ユニットでは、蒸発器として機能する吸着熱交換器を通過した空気が調湿空間へ供給されることによって調湿空間が除湿される。
【０００４】
上記吸着除湿ユニットは、低露点の空気が求められるドライクリーンルームの除湿を行う除湿システムに用いられることがある。このような低露点の空気を生成する除湿システムでは、上記吸着除湿ユニットだけでは含有水分の多い室外空気を低露点となるまで除湿することができないため、給気通路の吸着除湿ユニットの上流側に、室外空気を冷却して水分を結露させることによって除湿する冷却除湿ユニットが設けられている。このような構成により、除湿システムでは、室外空気を冷却除湿ユニットにおいて冷却除湿した後、上記吸着除湿ユニットにおいて吸着除湿することによって低露点の空気を生成している。
【先行技術文献】
【特許文献】
【０００５】
【特許文献１】特開２０１０−２８１４７６号公報
【発明の概要】
【発明が解決しようとする課題】
【０００６】
ところで、上述のような吸着除湿ユニットでは、通常、吸着熱交換器の吸着剤を再生するための再生用空気として室外空気が用いられている。
【０００７】
しかしながら、室外空気は含有水分が高いため、低露点の空気を生成する上記除湿システムにおいて再生用空気として室外空気を用いると、吸着熱交換器を低露点の空気を生成可能な状態まで十分に再生することができないおそれがあった。そのため、上記除湿システムにおいて再生能力の向上が求められていた。
【０００８】
本発明は、かかる点に鑑みてなされたものであり、その目的は、冷却除湿ユニットと吸着除湿ユニットとを用いて調湿空間を除湿する除湿システムにおいて、再生能力を向上させることにある。
【課題を解決するための手段】
【０００９】
第１の発明は、室外から調湿空間（S）へ空気を導く給気通路（40）と、上記給気通路（40）に設けられ、給気を冷却して除湿する冷却除湿ユニット（60）と、圧縮機（21）と膨張機構（23）と表面に吸着剤が設けられた２つの吸着熱交換器（22,24）とが接続されて冷媒の循環方向が交互に切り換わる冷媒回路（20a）を有し、上記２つの吸着熱交換器（22,24）のうちの蒸発器として機能する除湿側吸着熱交換器が上記給気通路（40）の上記冷却除湿ユニット（60）の下流側に設けられるように構成された吸着除湿ユニット（20）とを備えて上記調湿空間（S）を除湿する除湿システムであって、上記給気通路（40）の上記冷却除湿ユニット（60）と上記吸着除湿ユニット（20）との間から分岐して上記冷却除湿ユニット（60）で除湿された給気の一部が、上記２つの吸着熱交換器（22,24）のうちの凝縮器として機能する再生側吸着熱交換器を再生するための再生用空気として流れる再生用空気通路（50）と、上記再生用空気通路（50）の上記再生側吸着熱交換器の上流側に設けられた放熱器（65）と、上記再生用空気通路（50）の上記再生側吸着熱交換器の下流側に設けられた吸熱器（68）とが接続され、該吸熱器（68）において再生用空気から熱媒体に熱を回収すると共に回収された熱が上記放熱器（65）に搬送されて再生用空気に放出されるように熱媒体を循環させる熱媒体回路とを備えている。
【００１０】
第１の発明では、給気通路（40）に取り込まれた室外空気（給気）は、冷却除湿ユニット（60）を通過する際に冷却されて除湿される。冷却除湿後の給気は、吸着除湿ユニット（20）の除湿側吸着熱交換器を通過する際に冷媒によって冷却され、含有水分が吸着剤に吸着することでさらに除湿される。一方、再生用空気通路（50）には、冷却除湿ユニット（60）において冷却除湿された給気の一部が除湿側吸着熱交換器を再生するための再生用空気として流入する。つまり、再生用空気通路（50）には、絶対湿度が室外空気よりも低い空気が再生用空気として流入する。そのため、再生用空気として室外空気を用いる場合に比べて除湿側吸着熱交換器の再生能力が向上する。
【００１１】
ところで、上述のように再生用空気通路（50）に冷却除湿された給気の一部を流入させることとすると、冷却除湿後の給気の温度が所望の温度よりも低い温度となる場合には、再生用空気通路（50）に流入する再生用空気の温度が低くなる上、冷媒回路（20a）の除湿側吸着熱交換器における蒸発温度が許容範囲を下回るおそれがあって圧縮機（21）を高出力で運転させることができないために、再生側吸着熱交換器における凝縮温度が著しく低くなる。よって、上述のような場合には、再生側吸着熱交換器を十分に再生させることができずに氷結させてしまうおそれがあった。
【００１２】
これに対し、第１の発明では、再生用空気通路（50）の再生側吸着熱交換器の上流側に放熱器（65）が設けられている。そのため、再生用空気通路（50）に流入した再生用空気の温度が著しく低くとも、該再生用空気は放熱器（65）を通過して熱媒体によって加熱された後に、吸着除湿ユニット（20）の再生側吸着熱交換器に流入する。よって、再生側吸着熱交換器には、高温且つ低湿の再生用空気が流入し、該再生空気によって再生側吸着熱交換器の吸着材に吸着された水分が脱離することで再生側吸着熱交換器が再生される。つまり、第１の発明では、吸着除湿ユニット（20）の再生側吸着熱交換器の再生に、冷却除湿ユニット（60）において冷却除湿された後、放熱器（65）において加熱された含有水分の少ない乾燥高温空気が用いられることとなる。
【００１３】
ところで、上述のように再生用空気通路（50）の再生側吸着熱交換器の上流側に放熱器（65）としてヒータを設けることとすると、消費電力が増大するため、省エネルギー化を図ることができない。
【００１４】
これに対し、第１の発明では、吸着除湿ユニット（20）の再生側吸着熱交換器の下流側に吸熱器（68）を設けると共に、該吸熱器（68）において熱媒体に回収された熱が放熱器（65）において再生用空気に放出されるように熱媒体を循環させる熱媒体回路が設けられている。これにより、再生側吸着熱交換器の再生に用いられなかった再生用空気の余剰の熱が吸熱器（68）において回収され、放熱器（65）において再生用空気通路（50）に流入した低温且つ低湿の再生用空気の加熱用の熱源として用いられる。そのため、放熱器（65）としてヒータを用いる場合に比べて消費電力が低減される。
【００１５】
第２の発明は、第１の発明において、上記熱媒体回路は、上記熱媒体である冷媒が循環して冷凍サイクルを行う冷媒回路（50a）である。
【００１６】
第２の発明では、再生用空気の余剰の熱が、冷媒回路（50a）における冷凍サイクルにより、吸熱器（68）で回収されると共に放熱器（65）に搬送される。
【００１７】
第３の発明は、第１又は第２の発明において、上記給気通路（40）の上記除湿側吸着熱交換器の下流側に設けられた吸着ロータ（31）と、上記吸着ロータ（31）が設けられて該吸着ロータ（31）を再生するための再生用空気が流れる第２再生用空気通路（51）とを備え、上記第２再生用空気通路（51）の流出端は、上記再生用空気通路（50）の上記放熱器（65）の上流側に接続されている。
【００１８】
第３の発明では、給気通路（40）に取り込まれた室外空気（給気）は、冷却除湿ユニット（60）を通過する際に冷却除湿され、吸着除湿ユニット（20）の除湿側吸着熱交換器を通過する際に吸着除湿された後、吸着ロータ（31）を通過する際にさらに除湿される。一方、第２再生用空気通路（51）を流れる高温の再生用空気は、吸着ロータ（31）を再生した後、再生用空気通路（50）の放熱器（65）の上流側に流入する。つまり、再生用空気通路（50）では、再生用空気通路（50）に流入した低温且つ低湿の再生用空気に、吸着ロータ（31）を再生した後の比較的高温の再生用空気が合流することによって、再生用空気通路（50）の低温且つ低湿の再生用空気の温度が上昇する。
【００１９】
第４の発明は、第３の発明において、上記第２再生用空気通路（51）は、流入端が上記給気通路（40）の上記除湿側吸着熱交換器と上記吸着ロータ（31）との間に接続されると共に、上記吸着ロータ（31）の上流側に再生用空気を加熱する加熱器（69）が設けられている。
【００２０】
第４の発明では、室外から給気通路（40）に取り込まれ、冷却除湿ユニット（60）及び吸着除湿ユニット（20）において除湿された給気の一部が第２再生用空気通路（51）に流入し、加熱器（69）で加熱された後に吸着ロータ（31）の再生に用いられる。つまり、室外空気を冷却除湿及び吸着除湿した後に加熱して吸着ロータ（31）の再生に用いている。これにより、室外空気を除湿することなく加熱して吸着ロータ（31）の再生に用いる場合に比べて、再生に用いられる再生用空気の絶対湿度が低下するため、該再生用空気中に吸着ロータ（31）に吸着された水分が放出され易くなる。つまり、室外空気を除湿することなく加熱して吸着ロータ（31）の再生に用いる場合に比べて、再生能力が向上する。
【００２１】
第５の発明は、第１乃至第４のいずれか１つの発明において、上記調湿空間（S）はドライクリーンルームである。
【００２２】
第５の発明では、除湿システムは、調湿空間（S）としてのドライクリーンルームの除湿を行う。
【発明の効果】
【００２３】
第１の発明によれば、再生用空気通路（50）を給気通路（40）の冷却除湿ユニット（60）と吸着除湿ユニット（20）との間から分岐させることとした。つまり、吸着除湿ユニット（20）の再生側吸着熱交換器の再生に、冷却除湿ユニット（60）において冷却除湿された乾燥空気を用いることとした。よって、吸着除湿ユニット（20）の再生側吸着熱交換器の再生用空気に室外空気を用いる場合に比べて、再生能力を向上させることができる。
【００２４】
ところで、上述のように再生用空気通路（50）に冷却除湿された給気の一部を流入させることとすると、冷却除湿後の給気の温度が所望の温度よりも低い温度となる場合には、再生用空気通路（50）に流入する再生用空気の温度が低くなる上、冷媒回路（20a）の除湿側吸着熱交換器における蒸発温度が許容範囲を下回るおそれがあって圧縮機（21）を高出力で運転させることができないために、再生側吸着熱交換器における凝縮温度が著しく低くなる。よって、上述のような場合には、再生側吸着熱交換器を十分に再生させることができずに氷結させてしまうおそれがあった。
【００２５】
これに対し、第１の発明によれば、再生用空気通路（50）の再生側吸着熱交換器の上流側に放熱器（65）を設けることとした。そのため、冷却除湿ユニット（60）において冷却除湿されて再生用空気通路（50）に流入した低温且つ低湿の再生用空気は、放熱器（65）において加熱されて含有水分の少ない高温且つ低湿の空気となる。これにより、吸着除湿ユニット（20）の再生側吸着熱交換器の再生に乾燥高温空気を用いることができる。従って、吸着除湿ユニット（20）の再生側吸着熱交換器の再生能力がさらに向上するため、再生側吸着熱交換器を低露点の空気を生成可能な状態まで十分に再生することが可能となる。また、このように冷却除湿された低温の給気の一部を再生用空気として用いることとしても、該再生用空気は放熱器（65）において加熱されて乾燥高温空気となるため、吸着除湿ユニット（20）の再生側吸着熱交換器の氷結を防止することができる。
【００２６】
ところで、上述のように再生用空気通路（50）の再生側吸着熱交換器の上流側に放熱器（65）としてヒータを設けることとすると、消費電力が増大するため、省エネルギー化を図ることができない。
【００２７】
これに対し、第１の発明によれば、吸着除湿ユニット（20）の再生側吸着熱交換器の再生に用いられなかった再生用空気の余剰の熱を回収する吸熱器（68）を設けると共に、該吸熱器（68）において回収された熱が放熱器（65）において再生用空気に放出されるように熱媒体を循環させる熱媒体回路を設けることとした。これにより、再生用空気の余剰の熱を回収して再生用空気の加熱に利用することができる。よって、再生側吸着熱交換器を再生するための加熱源として電気ヒータを用いる場合に比べて消費電力を各段に低減することができる。従って、冷却除湿ユニット（60）と吸着除湿ユニット（20）とを用いて調湿空間（S）を除湿する除湿システムにおいて省エネルギー化を図ることができる。
【００２８】
また、第２の発明によれば、再生用空気通路（50）の吸着除湿ユニット（20）の再生側吸着熱交換器の下流側において再生用空気の余剰の熱を回収して、再生側吸着熱交換器の上流側において再生用空気の加熱に利用する構成を容易に実現することができる。
【００２９】
また、第３の発明によれば、冷却除湿ユニット（60）において冷却除湿されて再生用空気通路（50）に流入した低温且つ低湿の再生用空気に、比較的高温の吸着ロータ（31）を再生した後の第２再生用空気通路（51）の再生用空気を合流させることとした。そのため、再生用空気通路（50）の低温且つ低湿の再生用空気を、吸着ロータ（31）の再生用空気の余剰の熱を用いて昇温させることができる。従って、再生用空気通路（50）において放熱器（65）での再生用空気への放熱量が少ない場合であっても、再生側吸着熱交換器を十分に再生することができる。
【００３０】
また、第４の発明によれば、第２再生用空気通路（51）の流入端を給気通路（40）の除湿側吸着熱交換器と吸着ロータ（31）との間に接続すると共に第２再生用空気通路（51）の吸着ロータ（31）の上流側に加熱器（69）を設け、室外空気を冷却除湿及び吸着除湿した後に加熱して吸着ロータ（31）の再生に用いることとした。これにより、室外空気を除湿することなく加熱して吸着ロータ（31）の再生に用いる場合に比べて、再生用空気の絶対湿度を低くすることができる。よって、吸着ロータ（31）の再生能力を向上させることができる。また、このような絶対湿度の低い第２再生用空気通路（51）の再生用空気を再生用空気通路（50）に合流させることにより、再生用空気通路（50）の再生用空気の絶対湿度も抑えることができる。よって、吸着除湿ユニット（20）の再生側吸着熱交換器の再生能力も向上させることができる。従って、再生用空気通路（50）において放熱器（65）での再生用空気への放熱量が少ない場合であっても、再生側吸着熱交換器を十分に再生することができる。
【図面の簡単な説明】
【００３１】
【図１】実施形態１の除湿システムの全体構成を示す概略の構成図であり、第２除湿ユニットが第１動作中の状態を示している。
【図２】実施形態１の除湿システムの全体構成を示す概略の構成図であり、第２除湿ユニットが第２動作中の状態を示している。
【図３】実施形態１の除湿システムの第１冷媒回路の配管系統図である。
【図４】実施形態１の除湿システムの第２冷媒回路の配管系統図である。
【図５】実施形態１の除湿システムの第３冷媒回路の配管系統図である。
【図６】実施形態２の除湿システムの全体構成を示す概略の構成図である。
【図７】実施形態２の除湿システムの第１冷媒回路の配管系統図である。
【発明を実施するための形態】
【００３２】
以下、本発明の実施形態を図面に基づいて詳細に説明する。
【００３３】
《発明の実施形態１》
本発明の実施形態は、調湿空間（S）を除湿する除湿システム（10）に関するものである。本実施形態では、湿度調整の対象となる調湿空間（S）は、低露点空気が求められるリチウム電池の製造ラインに設けられるドライクリーンルームであり、除湿システム（10）は、室外空気（OA）を除湿して低露点の空気とし、この空気を給気（SA）として調湿空間（S）へ供給するように構成されている。
【００３４】
図１に示すように、除湿システム（10）は、室外と調湿空間（S）とを接続する給気通路（40）と、該給気通路（40）の中途部と室外とを接続する再生用空気通路（50）とを備えている。給気通路（40）には、第１除湿ユニット（冷却除湿ユニット）（60）と第２除湿ユニット（吸着除湿ユニット）（20）とが、室外空気の入口側から順に配置されている。２つの除湿ユニット（60,20）の詳細な構成については後述するが、第１除湿ユニット（60）は、後述する第１冷媒回路（70a）（図３参照）に接続された外気冷却熱交換器（61）を有して冷却除湿を行う。また、第２除湿ユニット（20）は、後述する第２冷媒回路（20a）（図４参照）に接続された２つの吸着熱交換器（22,24）を有して吸着除湿を行う。
【００３５】
給気通路（40）は、流入端が室外に開口する一方、流出端が調湿空間（S）において開口している。給気通路（40）には、第１除湿ユニット（60）の外気冷却熱交換器（61）と、第２除湿ユニット（20）の除湿側吸着熱交換器と、給気ファン（63）と、再熱熱交換器（64）とが、流入端から流出端に向かって順に設けられている。給気通路（40）は、室外空気（OA）を取り込み、第１除湿ユニット（60）及び第２除湿ユニット（20）において除湿し、再熱熱交換器（64）で所望の温度に調節した後、給気（SA）として調湿空間（S）へ供給する。
【００３６】
再生用空気通路（50）は、流入端が給気通路（40）の第１除湿ユニット（60）と第２除湿ユニット（20）との間に接続される一方、流出端が室外において開口している。再生用空気通路（50）には、再生熱交換器（放熱器）（65）、第２除湿ユニット（20）の再生側熱交換器、熱回収熱交換器（吸熱器）（68）及び排気ファン（66）が、流入端から流出端に向かって順に設けられている。再生用空気通路（50）は、給気通路（40）の一部の空気を取り込み、水分を吸着した第２除湿ユニット（20）の再生側吸着熱交換器を再生させて排気（EA）として室外へ排出する。
【００３７】
第１除湿ユニット（60）は、室外空気（給気）を冷却して除湿する外気冷却熱交換器（61）と、外気冷却熱交換器（61）で凝縮した水を回収するドレンパン（62）とを備えている。外気冷却熱交換器（61）は、フィンアンドチューブ式の熱交換器によって構成され、後述する第１冷媒回路（70a）に接続され、蒸発器として機能して給気を冷却除湿する。外気冷却熱交換器（61）の近傍には、ドレンパン（62）が設けられている。ドレンパン（62）は、例えば、外気冷却熱交換器（61）の下方に設けられて上面が開口する容器によって構成され、外気冷却熱交換器（61）において凝縮した水を受け止める。
【００３８】
第２除湿ユニット（20）は、第１吸着熱交換器（22）と、第２吸着熱交換器（24）と、第１流路切換部（26）と、第２流路切換部（27）とを備えている。第１及び第２吸着熱交換器（22,24）は、フィンアンドチューブ式の熱交換器の表面に高分子収着剤やＢ型シリカゲル等の吸着剤を担持させることによって形成されている。第１及び第２吸着熱交換器（22,24）は、図示しないケーシング内の別個の収容室にそれぞれ収容されている。第１及び第２流路切換部（26,27）は、開閉式の複数のダンパによって構成されている。第１及び第２流路切換部（26,27）は、後述する四方切換弁（25）が第１状態の際には第１流通状態（図１の実線で示す状態）となり、四方切換弁（25）が第２状態の際には、第２流通状態（図２の実線で示す状態）となるように構成されている。第１流通状態では、第１流路切換部（26）及び第２流路切換部（27）が、共に、給気通路（40）と第２吸着熱交換器（24）の収容室（図示省略）とを連通させ、且つ再生用空気通路（50）と第１吸着熱交換器（22）の収容室（図示省略）とを連通させる。一方、第２流通状態では、第１流路切換部（26）及び第２流路切換部（27）が、共に、給気通路（40）と第１吸着熱交換器（22）の収容室（図示省略）とを連通させ、且つ再生用空気通路（50）と第２吸着熱交換器（24）の収容室（図示省略）とを連通させる。
【００３９】
再熱熱交換器（64）は、フィンアンドチューブ式の熱交換器によって構成され、後述する第１冷媒回路（70a）に接続され、凝縮器として機能して給気通路（40）の第１及び第２除湿ユニット（60,20）において除湿された給気を加熱して所望の温度に調節する。
【００４０】
再生熱交換器（65）は、フィンアンドチューブ式の熱交換器によって構成され、後述する第３冷媒回路（50a）に接続され、凝縮器として機能して再生用空気通路（50）に流入した再生用空気（給気の一部）を加熱する。
【００４１】
熱回収熱交換器（68）は、フィンアンドチューブ式の熱交換器によって構成され、後述する第３冷媒回路（50a）に接続され、蒸発器として機能して再生用空気通路（50）の第２除湿ユニット（20）の再生側吸着熱交換器を通過後の再生用空気から熱媒体である冷媒に熱を回収する。
【００４２】
なお、本実施形態では、第１及び第２除湿ユニット（60,20）は、それぞれ除湿の好適な温度範囲が異なるように構成されている。具体的には、第１除湿ユニット（60）の外気冷却熱交換器（61）による冷却除湿は露点が約８℃以上の温度範囲で、第２除湿ユニット（20）の吸着熱交換器（22,24）による吸着除湿は露点が約１０℃〜−２０℃の温度範囲で用いるのに適するように構成されている。
【００４３】
〈第１冷媒回路〉
本除湿システム（10）は、第１冷媒回路（70a）を備えている。図３に示すように、上記外気冷却熱交換器（61）と再熱熱交換器（64）とは、第１冷媒回路（70a）に接続されている。第１冷媒回路（70a）は、１つの閉回路を冷媒が循環する一元冷凍サイクル式の冷媒回路である。
【００４４】
第１冷媒回路（70a）には、圧縮機（80）が接続されている。圧縮機（80）は、ロータリー式、スイング式、スクロール式等の回転式流体機械である。圧縮機（80）は、インバータ回路によって運転周波数が調節される可変容量式に構成されている。
【００４５】
圧縮機（80）の吐出側は、第１吐出ライン（71）と第２吐出ライン（72）とに分岐している。第１吐出ライン（71）には、上流側から下流側に向かって順に、上記再熱熱交換器（64）、及び第１膨張弁（82）が接続されている。第２吐出ライン（72）には、上流側から下流側に向かって順に、凝縮圧力調整熱交換器（83）と第２膨張弁（84）とが接続されている。凝縮圧力調整熱交換器（83）の近傍には、室外空気を送風する第１室外ファン（85）が設けられている。
【００４６】
圧縮機（80）の吸入側は、第１吸入ライン（73）と第２吸入ライン（74）とに分岐している。第１吸入ライン（73）には、上記外気冷却熱交換器（61）が接続されている。一方、第２吸入ライン（74）には、上流側から下流側に向かって順に、第３膨張弁（87）と蒸発圧力調整熱交換器（88）とが接続されている。蒸発圧力調整熱交換器（88）の近傍には、室外空気を送風する第２室外ファン（89）が設けられている。
【００４７】
各吐出ライン（71,72）の流出端と各吸入ライン（73,74）の流入端との間には、１本の合流管（75）が接続されている。合流管（75）には、気液分離器（79）が設けられている。気液分離器（79）の気相部には、インジェクション管（76）の流入端が接続している。インジェクション管（76）の流出端は、圧縮機（80）の吸入管に接続している。インジェクション管（76）には、第４膨張弁（91）が設けられている。
【００４８】
再熱熱交換器（64）及び凝縮圧力調整熱交換器（83）は、冷媒が空気へ放熱して凝縮する凝縮器を構成する。外気冷却熱交換器（61）及び蒸発圧力調整熱交換器（88）は、冷媒が空気から吸熱して蒸発する蒸発器を構成する。上述した各膨張弁（82,84,87,91）は、例えば電子膨張弁であり、冷媒の圧力を調整する減圧機構を構成している。
【００４９】
〈第２冷媒回路〉
本除湿システム（10）は、第２冷媒回路（20a）を備えている。図４に示すように、上記第１吸着熱交換器（22）と第２吸着熱交換器（24）とは、第２冷媒回路（20a）に接続されている。第２冷媒回路（20a）は、１つの閉回路を冷媒が循環する一元冷凍サイクル式の冷媒回路である。第２冷媒回路（20a）は、第２除湿ユニット（20）に設けられている。第２冷媒回路（20a）には、２つの吸着熱交換器（22,24）の他に、圧縮機（21）、膨張弁（23）及び四方切換弁（25）が接続されている。
【００５０】
四方切換弁（25）は、第１から第４までのポートを有し、第１ポートが圧縮機（21）の吐出側と、第２ポートが圧縮機（21）の吸入側と、第３ポートが第１吸着熱交換器（22）の端部と、第４ポートが第２吸着熱交換器（24）の端部とそれぞれ接続されている。四方切換弁（25）は、第１ポートと第３ポートとが連通すると共に第２ポートと第４ポートとが連通する第１状態（図４の実線で示す状態）と、第１ポートと第４ポートとが連通すると共に且つ第２ポートと第３ポートとが連通する第２状態（図４の破線で示す状態）とに切換可能に構成されている。
【００５１】
四方切換弁（25）が第１状態に切り換わると、第２吸着熱交換器（24）が蒸発器として機能して空気を除湿する除湿側吸着熱交換器となる一方、第１吸着熱交換器（22）が凝縮器として機能して吸着剤を再生する再生側吸着熱交換器となる。一方、四方切換弁（25）が第２状態に切り換わると、第１吸着熱交換器（22）が蒸発器として機能して空気を除湿する除湿側吸着熱交換器となる一方、第２吸着熱交換器（24）が凝縮器として機能して吸着剤を再生する再生側吸着熱交換器となる。つまり、四方切換弁（25）は、第２冷媒回路（20a）に設けられた２つの吸着熱交換器（22,24）が、除湿側吸着熱交換器と再生側吸着熱交換器とに交互に切り換わるように第２冷媒回路（20a）における冷媒循環方向を切り換える切換機構を構成する。
【００５２】
〈第３冷媒回路〉
本除湿システム（10）は、第３冷媒回路（50a）を備えている。図５に示すように、上記再生熱交換器（65）及び熱回収熱交換器（68）は、第３冷媒回路（50a）に接続されている。第３冷媒回路（50a）は、１つの閉回路を冷媒が循環する一元冷凍サイクル式の冷媒回路であり、再生熱交換器（65）が凝縮器となる一方、熱回収熱交換器（68）が蒸発器となるように冷媒が循環する。第３冷媒回路（50a）には、再生熱交換器（65）及び熱回収熱交換器（68）の他に、圧縮機（53）及び膨張弁（54）が接続されている。
【００５３】
〈センサ、コントローラ〉
除湿システム（10）には、各種センサと、該各種センサからの検出値に基づいて各種制御を行うコントローラ（100）とが設けられている。
【００５４】
図１に示すように、給気通路（40）には、空気の温度を検出する第１〜第３空気温度センサ（11〜13）と湿度センサ（14）とが設けられている。第１空気温度センサ（11）は、外気冷却熱交換器（61）の下流側に設けられて外気冷却熱交換器（61）を通過した空気の温度を検出する。第２空気温度センサ（12）及び湿度センサ（14）は、第２除湿ユニット（20）の第２流路切換部（27）の下流側に設けられ、２つの吸着熱交換器（22,24）のうちの蒸発器として機能する除湿側吸着熱交換器を通過した空気の温度と相対湿度とをそれぞれ検出する。第３空気温度センサ（13）は、再熱熱交換器（64）の下流側に設けられ、再熱熱交換器（64）を通過した空気の温度を検出する。
【００５５】
再生用空気通路（50）には、空気の温度を検出する第４空気温度センサ（15）が設けられている。第４空気温度センサ（15）は、第２除湿ユニット（20）の第１流路切換部（26）の上流側に設けられ、２つの吸着熱交換器（22,24）のうちの凝縮器として機能する再生側吸着熱交換器に流入する空気の温度を検出する。
【００５６】
また、図３に示すように、第１冷媒回路（70a）には、該第１冷媒回路（70a）の高圧圧力（凝縮圧力）を検出する高圧圧力センサ（95）と、低圧圧力（蒸発圧力）を検出する低圧圧力センサ（96）とが設けられている。
【００５７】
コントローラ（100）は、上述した各種のセンサの検出値や、ユーザーによって入力される各種の設定値に基づいて、第１及び第３冷媒回路（70a,20a,50a）における圧縮機（80,21,71）の運転周波数、各膨張弁（82,84,87,91,23,54）の開度、各ファン（63,66）及び各室外ファン（85,89）の送風量等を制御する。
【００５８】
−運転動作−
除湿システム（10）の運転動作について説明する。
【００５９】
〈第１冷媒回路における動作〉
除湿システム（10）の運転時には、第１冷媒回路（70a）において冷媒が循環して蒸気圧縮式の冷凍サイクルが行われる。このとき、第１膨張弁（82）及び第４膨張弁（91）の開度は適宜調節され、第２膨張弁（84）と第３膨張弁（87）とが全閉状態となる。また、第１室外ファン（85）と第２室外ファン（89）とが停止状態となる。
【００６０】
圧縮機（80）で圧縮された冷媒は、第１吐出ライン（71）に送られ、再熱熱交換器（64）を流れる。再熱熱交換器（64）では、冷媒が空気へ放熱して凝縮する。再熱熱交換器（64）で凝縮した冷媒は、第１膨張弁（82）で低圧まで減圧されて気液分離器（79）を通過し、第１吸入ライン（73）に送られる。なお、第１膨張弁（82）の開度は、圧縮機（80）の吸入側の冷媒の過熱度によって制御される。
【００６１】
第１吸入ライン（73）に送られた冷媒は、外気冷却熱交換器（61）を流れる。外気冷却熱交換器（61）では、冷媒が空気から吸熱して蒸発する。外気冷却熱交換器（61）で蒸発した冷媒は、圧縮機（80）に吸入されて圧縮される。
【００６２】
第１冷媒回路（70a）では、除湿システム（10）の運転条件に応じて、以下のような制御動作が適宜実行される。
【００６３】
除湿システム（10）の運転時には、コントローラ（100）において、凝縮器（即ち、再熱熱交換器（64））の必要能力Ｑｃと、蒸発器側（即ち、外気冷却熱交換器（61））の必要能力Ｑｅとが、第１空気温度センサ（11）と第３空気温度センサ（13）との検出温度に基づいて算出される。
【００６４】
凝縮器側の必要能力Ｑｃが、蒸発器側の必要能力Ｑｅよりも大きい場合、高圧圧力センサ（95）で検出された凝縮圧力が、必要能力Ｑｃに基づいて決定される目標凝縮圧力に到達するように、圧縮機（80）の運転周波数が調節される。これにより、凝縮圧力を速やかに目標凝縮圧力に到達させて、必要能力Ｑｃを確保できる。
【００６５】
一方、凝縮圧力が目標値に至るように圧縮機（80）を制御した場合、蒸発圧力が目標蒸発圧力を上回り、蒸発器側の必要能力Ｑｅが不足してしまうことがある。そこで、このような場合には、第２膨張弁（84）を所定の開度で開放させる。第２膨張弁（84）が開かれると、圧縮機（80）の吐出側の冷媒は、第１吐出ライン（71）と第２吐出ライン（72）との双方を流れ、凝縮圧力調整熱交換器（83）においても冷媒が凝縮する。すると、圧縮機（80）は、凝縮圧力を目標凝縮圧力に維持するように、運転周波数が大きくなる。その結果、蒸発圧力を低下させて目標の蒸発圧力に近づけることができる。
【００６６】
また、蒸発器側の必要能力Ｑｅが、凝縮器側の必要能力Ｑｃよりも大きい場合、低圧圧力センサ（96）で検出された蒸発圧力が、必要能力Ｑｅに基づいて決定される目標蒸発圧力に到達するように、圧縮機（80）の運転周波数が調節される。これにより、蒸発圧力を速やかに目標蒸発圧力に到達させて、必要能力Ｑｅを確保できる。
【００６７】
一方、蒸発圧力が目標値に至るように圧縮機（80）を制御した場合、凝縮圧力が目標凝縮圧力を下回り、凝縮器側の必要能力Ｑｃが不足してしまうことがある。そこで、このような場合には、第３膨張弁（87）を所定の開度で開放させる。第３膨張弁（87）が開かれると、圧縮機（80）の吸入側の冷媒は、第１吸入ライン（73）と第２吸入ライン（74）との双方を流れ、蒸発圧力調整熱交換器（88）においても冷媒が蒸発する。すると、圧縮機（80）は、蒸発圧力を目標蒸発圧力に維持するように、運転周波数が大きくなる。その結果、凝縮圧力を上昇させて目標の凝縮圧力に近づけることができる。
【００６８】
〈第２冷媒回路における動作〉
除湿システム（10）の運転時には、第２冷媒回路（20a）において冷媒が循環して蒸気圧縮式の冷凍サイクルが行われる。具体的には、圧縮機（21）が運転され、膨張弁（23）が所定開度に制御され、四方切換弁（25）が第１状態と第２状態とに交互に切り換えられる。
【００６９】
四方切換弁（25）が第１状態に切り換えられると、圧縮機（21）で圧縮された冷媒は、四方切換弁（25）を通過して、第１吸着熱交換器（22）を流れる。第１吸着熱交換器（22）では、冷媒によって吸着剤が加熱され、吸着剤中の水分が空気へ放出される再生動作が行われる。第１吸着熱交換器（22）で放熱して凝縮した冷媒は、膨張弁（23）で減圧された後、第２吸着熱交換器（24）を流れる。第２吸着熱交換器（24）では、空気中の水分が吸着剤に吸着される吸着動作が行われ、その際に生じる吸着熱が冷媒に付与される。第２吸着熱交換器（24）で吸熱して蒸発した冷媒は、圧縮機（21）に吸入されて圧縮される。
【００７０】
一方、四方切換弁（25）が第２状態に切り換えられると、圧縮機（21）で圧縮された冷媒は、四方切換弁（25）を通過して、第２吸着熱交換器（24）を流れる。第２吸着熱交換器（24）では、冷媒によって吸着剤が加熱され、吸着剤中の水分が空気へ放出される再生動作が行われる。第２吸着熱交換器（24）で放熱して凝縮した冷媒は、膨張弁（23）で減圧された後、第１吸着熱交換器（22）を流れる。第１吸着熱交換器（22）では、空気中の水分が吸着剤に吸着される吸着動作が行われ、その際に生じる吸着熱が冷媒に付与される。第１吸着熱交換器（22）で吸熱して蒸発した冷媒は、圧縮機（21）に吸入されて圧縮される。
【００７１】
また、上記動作において、圧縮機（21）は、コントローラ（100）により、吸着動作を行う除湿側吸着熱交換器を通過した空気の湿度が所望の湿度となるように、運転周波数が制御される。具体的には、第２空気温度センサ（12）と湿度センサ（14）とによって除湿側吸着熱交換器を通過した空気の温度Ｔ（℃）と相対湿度ＲＨ（％ＲＨ）とが検出され、コントローラ（100）に入力される。コントローラ（100）は、除湿側吸着熱交換器を通過した空気の温度Ｔと相対湿度ＲＨとに基づいて、絶対湿度Ｘ（ｇ／ｋｇ（ＤＡ））を算出する。そして、コントローラ（100）は、算出された絶対湿度Ｘが所望の湿度以下となるように、圧縮機（21）の運転周波数を制御する。つまり、絶対湿度Ｘが所望の湿度よりも高い場合には、圧縮機（21）の運転周波数を増大させる一方、絶対湿度Ｘが所望の湿度以下となっている場合には、圧縮機（21）の運転周波数を維持する。これにより、調湿空間（S）には、所望の絶対湿度以下の空気が供給されることとなる。
【００７２】
〈第３冷媒回路における動作〉
除湿システム（10）の運転時には、第３冷媒回路（50a）において冷媒が循環して蒸気圧縮式の冷凍サイクルが行われる。具体的には、コントローラ（100）により、圧縮機（53）が運転され、膨張弁（54）が所定開度に制御される。圧縮機（53）で圧縮された冷媒は、再生熱交換器（65）に流入して再生用空気に放熱して凝縮する。凝縮した冷媒は、膨張弁（54）で減圧された後、熱回収熱交換器（68）に流入して再生用空気から吸熱して蒸発する。蒸発した冷媒は、圧縮機（53）に吸入されて圧縮される。
【００７３】
また、コントローラ（100）は、再生熱交換器（65）を通過後の再生用空気の温度が所望の温度となるように圧縮機（53）の運転周波数を制御する。具体的には、コントローラ（100）は、第４空気温度センサ（15）の検出値が所望の範囲を下回る場合には、圧縮機（53）の運転周波数を増大させる一方、検出値が所望の範囲の値である場合には、圧縮機（53）の運転周波数を維持し、検出値が所望の範囲を超える場合には、圧縮機（53）の運転周波数を減少させる。
【００７４】
〈除湿システムの運転動作〉
次いで、除湿システム（10）の運転動作について説明する。除湿システム（10）の運転時には、第１乃至第３冷媒回路（70a,20a,50a）において上述の動作が行われる。また、各ファン（63,66）が所定の風量で駆動され、第２除湿ユニット（20）では、所定時間おきに（例えば２７０秒間隔で）第１動作と第２動作とが交互に行われる。
【００７５】
第１動作では、第２冷媒回路（20a）の四方切換弁（25）が第１状態に切り換えられ、空気通路に設けられた第１及び第２流路切換部（26,27）が第１流通状態となる。これにより、第２吸着熱交換器（24）が除湿側熱交換器となって給気を除湿すると同時に、第１吸着熱交換器（22）が再生側吸着熱交換器となって吸着剤を再生する。一方、第２動作では、第２冷媒回路（20a）の四方切換弁（25）が第２状態に切り換えられ、空気通路に設けられた第１及び第２流路切換部（26,27）が第２流通状態となる。これにより、第１吸着熱交換器（22）が給気を除湿する除湿側熱交換器となり、第２吸着熱交換器（24）が再生用空気が通過して再生される再生側吸着熱交換器となる。以下、各空気通路における動作を空気の流れに沿って具体的に詳述する。
【００７６】
−給気通路における動作−
各ファン（63,66）が駆動されると、室外空気（OA）が給気通路（40）に流入する。この空気は、比較的高温高湿の空気である。給気通路（40）を流れる空気は、第１除湿ユニット（60）の外気冷却熱交換器（61）を通過し、該外気冷却熱交換器（61）の内部を流れる第１冷媒回路（70a）の冷媒によって冷却される。冷却時に空気中から発生した凝縮水は、ドレンパン（62）に回収される。
【００７７】
外気冷却熱交換器（61）で冷却及び除湿された空気は、第１動作中には、除湿側吸着熱交換器となっている第２吸着熱交換器（24）を通過する。第２吸着熱交換器（24）を通過する空気は、該空気中の水分が吸着剤に吸着され、その際に生じる吸着熱が冷媒に吸収される。このようにして第２吸着熱交換器（24）を通過する空気が除湿される。一方、第２動作中には、外気冷却熱交換器（61）で冷却及び除湿された空気は、除湿側吸着熱交換器となっている第１吸着熱交換器（22）を通過する際に冷却されて除湿される。
【００７８】
給気通路（40）の空気中の水分が各吸着熱交換器（22,24）の吸着剤に吸着されるときに発生する吸着熱は、各吸着熱交換器（22,24）を流れる冷媒に与えられる。また、給気通路（40）を流れる空気は、冷媒による冷却作用を受けるので、除湿されて湿度が低下すると共に冷却されて温度も低下する。
【００７９】
第２除湿ユニット（20）で除湿された空気は、給気通路（40）を流れ、再熱熱交換器（64）で温度が調整された後、給気（SA）として調湿空間（S）へ供給される。一方、調湿空間（S）の空気の一部は、排気（EA）として室外へ排出される。
【００８０】
−再生用空気通路における動作−
再生用空気通路（50）には、給気通路（40）において第１除湿ユニット（60）の外気冷却熱交換器（61）で冷却及び除湿された空気の一部が再生用空気として流入する。再生用空気通路（50）に流入した再生用空気は、再生熱交換器（65）を通過し、通過の際に第３冷媒回路（50a）の高温高圧の冷媒と熱交換して加熱される。加熱された再生用空気は、第２除湿ユニット（20）に流入する。
【００８１】
第２除湿ユニット（20）に流入した再生用空気は、再生側吸着熱交換器を通過し、通過の際に、該再生側吸着熱交換器の吸着剤から水分を脱離させて該吸着剤を再生する。具体的には、第１動作中には、再生用空気は、第１吸着熱交換器（22）を通過し、通過の際に第２冷媒回路（20a）の高温高圧の冷媒と熱交換して加熱され、第１吸着熱交換器（22）の吸着剤を再生する。一方、第２動作中には、再生用空気は、第２吸着熱交換器（24）を通過し、通過の際に第２冷媒回路（20a）の高温高圧の冷媒と熱交換して加熱され、第２吸着熱交換器（24）の吸着剤を再生する。
【００８２】
第２除湿ユニット（20）において再生側吸着熱交換器を再生した再生用空気は、熱回収熱交換器（68）を通過し、通過の際に、該熱回収熱交換器（68）の内部を流れる第３冷媒回路（50a）の冷媒と熱交換して該冷媒に吸熱される。熱回収熱交換器（68）を通過した再生用空気は、排気（EA）として室外へ排出される。
【００８３】
以上のように、本実施形態では、第２除湿ユニット（20）の再生側吸着熱交換器の再生に用いられなかった再生用空気の余剰の熱が、第３冷媒回路（50a）の冷媒に回収され、再生熱交換器（65）に搬送されて再生用空気の加熱に用いられる。
【００８４】
−実施形態１の効果−
上記実施形態１によれば、再生用空気通路（50）を給気通路（40）の第１除湿ユニット（60）と第２除湿ユニット（20）との間から分岐させることとした。つまり、第２除湿ユニット（20）の再生側吸着熱交換器の再生に、第１除湿ユニット（60）において冷却除湿された乾燥空気を用いることとした。よって、第２除湿ユニット（20）の再生側吸着熱交換器の再生用空気に室外空気を用いる場合に比べて、再生能力を向上させることができる。
【００８５】
ところで、上述のように再生用空気通路（50）に冷却除湿された給気の一部を流入させることとすると、冷却除湿後の給気の温度が所望の温度よりも低い温度となる場合には、再生用空気通路（50）に流入する再生用空気の温度が低くなる上、第２冷媒回路（20a）の除湿側吸着熱交換器における蒸発温度が許容範囲を下回るおそれがあって圧縮機（21）を高出力で運転させることができないために、再生側吸着熱交換器における凝縮温度が著しく低くなる。よって、上述のような場合には、再生側吸着熱交換器を十分に再生させることができずに氷結させてしまうおそれがあった。
【００８６】
これに対し、上記実施形態１によれば、再生用空気通路（50）の再生側吸着熱交換器の上流側に再生熱交換器（65）を設けることとした。そのため、第１除湿ユニット（60）において冷却除湿されて再生用空気通路（50）に流入した低温且つ低湿の再生用空気は、再生熱交換器（65）において加熱されて含有水分の少ない高温且つ低湿の空気となる。これにより、第２除湿ユニット（20）の再生側吸着熱交換器の再生に乾燥高温空気を用いることができる。従って、第２除湿ユニット（20）の再生側吸着熱交換器の再生能力がさらに向上するため、再生側吸着熱交換器を低露点の空気を生成可能な状態まで十分に再生することが可能となる。このように冷却除湿された低温の給気の一部を再生用空気として用いることとしても、該再生用空気は再生熱交換器（65）において加熱されて乾燥高温空気となるため、第２除湿ユニット（20）の再生側吸着熱交換器の氷結を防止することができる。
【００８７】
また、上記実施形態１によれば、第２除湿ユニット（20）の再生側吸着熱交換器の再生に用いられなかった再生用空気の余剰の熱を回収する熱回収熱交換器（68）を設けると共に、該熱回収熱交換器（68）において回収された熱が再生熱交換器（65）において再生用給気に放出されるように熱媒体（冷媒）を循環させる熱媒体回路（第３冷媒回路（50a））を設けることとした。つまり、再生用空気の余剰の熱を回収して再生用空気の加熱に利用することとした。これにより、再生側吸着熱交換器を再生するための加熱源として電気ヒータを用いる場合に比べて消費電力を各段に低減することができる。従って、上記実施形態１によれば、吸着熱交換器（22,24）を有する除湿ユニット（20）を用いて調湿空間を除湿する除湿システム（10）において省エネルギー化を図ることができる。
【００８８】
また、上記実施形態１によれば、再生用空気の余剰の熱を、第３冷媒回路（50a）における冷凍サイクルにより、熱回収熱交換器（68）において回収すると共に再生熱交換器（65）へ搬送することとした。よって、吸着ロータ（31）の下流側において再生用空気の余剰の熱を回収して、吸着ロータ（31）の上流側において再生用空気の加熱に利用する構成を容易に実現することができる。
【００８９】
《発明の実施形態２》
実施形態２は、実施形態１の除湿システム（10）に、第２再生用空気通路（第２再生用空気通路）（51）と、還気通路（58）と、第３除湿ユニット（30）と、還気冷却熱交換器（67）とを追加したものである。以下では、実施形態１と異なる部分についてのみ説明する。
【００９０】
第２再生用空気通路（51）は、流入端が給気通路（40）の第２除湿ユニット（20）の除湿側吸着熱交換器と第３除湿ユニット（30）の吸着ロータ（31）との間であって給気ファン（63）の上流側に接続される一方、流出端が再生用空気通路（50）の第２除湿ユニット（20）の上流側に接続されている。このような構成により、第２再生用空気通路（51）は、給気通路（40）において第１及び第２除湿ユニット（60,20）において除湿された給気の一部を再生用空気通路（50）の第２除湿ユニット（20）の上流側へ導く。第２再生用空気通路（51）には、第３除湿ユニット（30）が接続されている。
【００９１】
還気通路（58）は、流入端が調湿空間（S）に連通する還気口に接続され、流出端が給気通路（40）の第２除湿ユニット（20）と給気ファン（63）との間に接続されている。また、還気通路（58）の流出端は、第２再生用空気通路（51）の流入端よりも上流側に位置している。還気通路（58）には、室内空気を給気通路（40）へ送り出す還気ファン（59）と、還気冷却熱交換器（67）が設けられている。還気通路（58）は、室内空気（RA）を給気通路（40）へ返送する。
【００９２】
第３除湿ユニット（30）は、吸着ロータ（31）と加熱器（69）とを有している。吸着ロータ（31）は、円板状の多孔性の基材の表面に吸着剤が担持されることにより構成されている。吸着ロータ（31）は、給気通路（40）と第２再生用空気通路（51）とに跨って配置されている。具体的には、吸着ロータ（31）は、給気通路（40）の給気ファン（63）と再熱熱交換器（64）との間に設けられている。また、吸着ロータ（31）は、第２再生用空気通路（51）の加熱器（69）の上流側と下流側とのそれぞれに設けられている。吸着ロータ（31）は、駆動機構（図示省略）によって駆動されて、両通路（40，50）の間の軸心を中心として回転するように構成されている。
【００９３】
吸着ロータ（31）には、給気通路（40）に露出する第１吸着部（32）と、再生用空気通路（50）の再生熱交換器（65）の上流側に露出する第２吸着部（33）と、再生用空気通路（50）の再生熱交換器（65）の下流側に露出する再生部（34）とを有し、これらの吸着ロータ（31）における位置は、該吸着ロータ（31）の回転に伴って移動する。第１吸着部（32）と第２吸着部（33）とでは、空気中の水分が吸着され、再生部（34）では、吸着剤中の水分が空気中へ放出される。吸着ロータ（31）は、第１吸着部（32）であった領域が再生部（34）となり、再生部（34）であった領域が第２吸着部（33）となり、第２吸着部（33）であった領域が第１吸着部（32）となるように回転する。
【００９４】
ところで、上記吸着ロータ（31）と上記第２除湿ユニット（20）の第１及び第２吸着熱交換器（22,24）とには、異なる性質の吸着剤が用いられている。具体的には、前段側に位置する第１及び第２吸着熱交換器（22,24）には、高い水蒸気分圧（相対湿度）で吸着剤を操作するため、高分子収着剤やＢ型シリカゲルのような吸着剤が用いられる一方、高段側に位置する吸着ロータ（31）には、低い水蒸気分圧（相対湿度）で吸着剤を操作するため、Ａ型シリカゲルやゼオライトのような吸着剤が用いられている。つまり、第１及び第２吸着熱交換器（22,24）では、相対湿度が比較的高いときに含水率が大きく、かつ空気の相対湿度が高くなるほど相対湿度の単位増加量当たりの吸着量が大きくなる吸着等温線を有する吸着剤が選定され、吸着ロータ（31）では、相対湿度が比較的低いときに含水率が大きく、かつ空気の相対湿度が低くなるほど相対湿度の単位増加量当たりの吸着量が大きくなる吸着等温線を有する吸着剤が選定されている。
【００９５】
加熱器（69）は、フィンアンドチューブ式の熱交換器によって構成され、第１冷媒回路（70a）に接続され、凝縮器として機能して第２再生用空気通路（51）の吸着ロータ（31）の第２吸着部（33）で除湿された空気を加熱する。
【００９６】
還気冷却熱交換器（67）は、フィンアンドチューブ式の熱交換器によって構成され、第１冷媒回路（70a）に接続され、蒸発器として機能して還気通路（58）を流れる室内空気を冷却する。
【００９７】
なお、本実施形態では、第１〜第３除湿ユニット（60,20,30）は、それぞれ除湿の好適な温度範囲が異なるように構成されている。具体的には、第１除湿ユニット（60）の外気冷却熱交換器（61）による冷却除湿は露点が約８℃以上の温度範囲で、第２除湿ユニット（20）の吸着熱交換器（22,24）による吸着除湿は露点が約１０℃〜−２０℃の温度範囲で、第３除湿ユニット（30）の吸着ロータ（31）による乾式除湿は露点が約−２０℃〜−８０℃の温度範囲で用いるのに適するように構成されている。
【００９８】
〈第１冷媒回路〉
実施形態２では、第１冷媒回路の構成が実施形態１と異なる。
【００９９】
実施形態２では、第１吐出ライン（71）の再熱熱交換器（64）の上流側に、加熱器（69）と第５膨張弁（81）とが接続されている。つまり、第１吐出ライン（71）には、上流側から下流側に向かって順に、加熱器（69）、第５膨張弁（81）、再熱熱交換器（64）、及び第１膨張弁（82）が接続されている。また、第１吸入ライン（73）の逆止弁（86）の下流側には、還気冷却熱交換器（67）が接続されている。つまり、第１吸入ライン（73）には、上流側から下流側に向かって順に、上記外気冷却熱交換器（61）、逆止弁（86）、還気冷却熱交換器（67）が接続されている。また、実施形態２では、第１吸入ライン（73）に、外気冷却熱交換器（61）及び逆止弁（86）をバイパスするバイパス管（77）が接続され、該バイパス管（77）には、電磁式の開閉弁（92）が設けられている。
【０１００】
〈センサ、コントローラ〉
実施形態２では、実施形態１の第１〜第４空気温度センサ（11〜13,15）と湿度センサ（14）との他に、第５及び第６空気温度センサ（18,19）が設けられている。第５空気温度センサ（18）は、第２再生用空気通路（51）の再熱熱交換器（64）の下流側に設けられて再熱熱交換器（64）を通過した空気の温度を検出する。第６空気温度センサ（19）は、還気通路（58）の還気冷却熱交換器（67）の下流側に設けられ、還気冷却熱交換器（67）を通過した空気の温度を検出する。
【０１０１】
実施形態２では、コントローラ（100）は、上述した各種のセンサの検出値や、ユーザーによって入力される各種の設定値に基づいて、第１乃至第３冷媒回路（70a,20a,50a）における圧縮機（80,21,71）の運転周波数、各膨張弁（82,84,87,91,23,54）の開度、各ファン（63,66）及び各室外ファン（85,89）の送風量等を制御する。
【０１０２】
−運転動作−
除湿システム（10）の運転動作について説明する。
【０１０３】
〈第１冷媒回路における動作〉
除湿システム（10）の運転時には、第１冷媒回路（70a）において冷媒が循環して蒸気圧縮式の冷凍サイクルが行われる。このとき、第５膨張弁（81）、第１膨張弁（82）、及び第４膨張弁（91）の開度が適宜調節され、第２膨張弁（84）と第３膨張弁（87）とが全閉状態となる。また、第１室外ファン（85）と第２室外ファン（89）とが停止状態となる。
【０１０４】
圧縮機（80）で圧縮された冷媒は、第１吐出ライン（71）に送られ、加熱器（69）を流れる。加熱器（69）では、冷媒が空気へ放熱して凝縮する。加熱器（69）で凝縮した冷媒は、第５膨張弁（81）でやや低い圧力まで減圧された後、再熱熱交換器（64）を流れる。再熱熱交換器（64）では、冷媒が空気へ放熱して凝縮する。再熱熱交換器（64）で凝縮した冷媒は、第１膨張弁（82）で低圧まで減圧されて気液分離器（79）を通過し、第１吸入ライン（73）に送られる。なお、第１膨張弁（82）の開度は、圧縮機（80）の吸入側の冷媒の過熱度によって制御される。
【０１０５】
第１吸入ライン（73）に送られた冷媒は、外気冷却熱交換器（61）を流れる。外気冷却熱交換器（61）では、冷媒が空気から吸熱して蒸発する。外気冷却熱交換器（61）で蒸発した冷媒は、逆止弁（86）を通過して還気冷却熱交換器（67）を流れる。還気冷却熱交換器（67）では、冷媒が空気から吸熱して蒸発する。還気冷却熱交換器（67）で蒸発した冷媒は、圧縮機（80）に吸入されて圧縮される。
【０１０６】
第１冷媒回路（70a）では、除湿システム（10）の運転条件に応じて、以下のような制御動作が適宜実行される。
【０１０７】
除湿システム（10）の運転時には、コントローラ（100）において、凝縮器側（即ち、加熱器（69）及び再熱熱交換器（64））の必要能力Ｑｃと、蒸発器側（即ち、外気冷却熱交換器（61）及び還気冷却熱交換器（67））の必要能力Ｑｅとが、第１空気温度センサ（11）と第３空気温度センサ（13）と第５空気温度センサ（18）と第６空気温度センサ（19）との検出温度に基づいて算出される。
【０１０８】
凝縮器側の必要能力Ｑｃが、蒸発器側の必要能力Ｑｅよりも大きい場合、高圧圧力センサ（95）で検出された凝縮圧力が、必要能力Ｑｃに基づいて決定される目標凝縮圧力に到達するように、圧縮機（80）の運転周波数が調節される。これにより、凝縮圧力を速やかに目標凝縮圧力に到達させて、必要能力Ｑｃを確保できる。
【０１０９】
一方、凝縮圧力が目標値に至るように圧縮機（80）を制御した場合、蒸発圧力が目標蒸発圧力を上回り、蒸発器側の必要能力Ｑｅが不足してしまうことがある。そこで、このような場合には、第２膨張弁（84）を所定の開度で開放させる。第２膨張弁（84）が開かれると、圧縮機（80）の吐出側の冷媒は、第１吐出ライン（71）と第２吐出ライン（72）との双方を流れ、凝縮圧力調整熱交換器（83）においても冷媒が凝縮する。すると、圧縮機（80）は、凝縮圧力を目標凝縮圧力に維持するように、運転周波数が大きくなる。その結果、蒸発圧力を低下させて目標の蒸発圧力に近づけることができる。
【０１１０】
また、蒸発器側の必要能力Ｑｅが、凝縮器側の必要能力Ｑｃよりも大きい場合、低圧圧力センサ（96）で検出された蒸発圧力が、必要能力Ｑｅに基づいて決定される目標蒸発圧力に到達するように、圧縮機（80）の運転周波数が調節される。これにより、蒸発圧力を速やかに目標蒸発圧力に到達させて、必要能力Ｑｅを確保できる。
【０１１１】
一方、蒸発圧力が目標値に至るように圧縮機（80）を制御した場合、凝縮圧力が目標凝縮圧力を下回り、凝縮器側の必要能力Ｑｃが不足してしまうことがある。そこで、このような場合には、第３膨張弁（87）を所定の開度で開放させる。第３膨張弁（87）が開かれると、圧縮機（80）の吸入側の冷媒は、第１吸入ライン（73）と第２吸入ライン（74）との双方を流れ、蒸発圧力調整熱交換器（88）においても冷媒が蒸発する。すると、圧縮機（80）は、蒸発圧力を目標蒸発圧力に維持するように、運転周波数が大きくなる。その結果、凝縮圧力を上昇させて目標の凝縮圧力に近づけることができる。
【０１１２】
また、第１冷媒回路（70a）では、外気温度センサ（図示省略）で検出された室外空気（OA）の温度が、目標蒸発圧力よりも低い場合に、開閉弁（92）が開放される。これにより、冷媒を外気冷却熱交換器（61）をバイパスさせて還気冷却熱交換器（67）へ送ることができる。
【０１１３】
第２冷媒回路（20a）及び第３冷媒回路（50a）における動作は実施形態１と同様である。
【０１１４】
〈調湿装置の運転動作〉
次いで、除湿システム（10）の運転動作について説明する。除湿システム（10）の運転時には、第１及び第２冷媒回路（70a,20a）において上述の動作が行われる。また、各ファン（59,63,66）が所定の風量で駆動され、第２除湿ユニット（20）では、所定時間おきに（例えば２７０秒間隔で）実施形態１と同様の第１動作と第２動作とが交互に行われる。
【０１１５】
−給気通路における動作−
各ファン（63,66）が駆動されると、室外空気（OA）が給気通路（40）に流入する。給気通路（40）を流れる空気は、実施形態１と同様にして、第１除湿ユニット（60）の外気冷却熱交換器（61）において冷却除湿され、第２除湿ユニット（20）の除湿側吸着熱交換器において吸着除湿される。
【０１１６】
第２除湿ユニット（20）で除湿された空気は、給気通路（40）を流れ、吸着ロータ（31）の第１吸着部（32）を通過する。その結果、この空気中の水分が吸着ロータ（31）の吸着剤に吸着される。吸着ロータ（31）で除湿された空気は、再熱熱交換器（64）で温度が調整された後、給気（SA）として室内へ供給される。
【０１１７】
−再生用空気通路における動作−
第２再生用空気通路（51）には、第１及び第２除湿ユニット（60,20）で除湿された給気の一部が再生用空気として流入する。第２再生用空気通路（51）に流入した再生用空気は、まず、吸着ロータ（31）の第２吸着部（33）を通過し、水分が吸着ロータ（31）の吸着剤に吸着されて除湿される。
【０１１８】
ここで、吸着ロータ（31）の回転により、加熱器（69）通過後の高温の再生用空気が通過して再生加熱される再生部（34）であった領域が第２吸着部（33）となる。そのため、第２再生用空気通路（51）に流入した再生用空気は、加熱器（69）によって加熱される前に、該加熱器（69）通過後の高温の再生用空気の通過によって再生加熱された領域を通過することととなる。これにより、第２再生用空気通路（51）に流入した再生用空気は、加熱器（69）によって加熱される前に予熱されることとなる。つまり、吸着ロータ（31）の再生に用いられなかった再生用空気の排熱が、第２再生用空気通路（51）の再生用空気の予熱に用いられることとなる。一方、第２吸着部（33）は、給気通路（40）から第２再生用空気通路（51）に流入した直後の比較的低温の再生用空気によって冷却された後、吸着ロータ（31）の回転によって第１吸着部（32）となる。
【０１１９】
吸着ロータ（31）の第２吸着部（33）で除湿されると共に予熱された再生用空気は、第２再生用空気通路（51）を流れて加熱器（69）で加熱される。加熱された空気は、吸着ロータ（31）の再生部（34）を通過し、通過の際に、吸着ロータ（31）の吸着剤から水分を脱離させて該吸着剤を再生する。
【０１２０】
吸着ロータ（31）を再生した再生用空気は、第２再生用空気通路（51）を流れ、再生用空気通路（50）の再生熱交換器（65）の上流側に流入し、外気冷却熱交換器（61）で冷却及び除湿された給気の一部と合流する。合流した再生用空気は、再生用空気通路（50）を流れて再生熱交換器（65）を通過し、通過の際に第３冷媒回路（50a）の高温高圧の冷媒と熱交換して加熱される。加熱された再生用空気は、第２除湿ユニット（20）に流入する。
【０１２１】
第２除湿ユニット（20）に流入した再生用空気は、再生側吸着熱交換器を通過し、通過の際に第２冷媒回路（20a）の高温高圧の冷媒と熱交換して加熱され、再生側吸着熱交換器の吸着剤から水分を脱離させて該吸着剤を再生する。再生側吸着熱交換器を再生した再生用空気は、熱回収熱交換器（68）を通過し、通過の際に、該熱回収熱交換器（68）の内部を流れる第３冷媒回路（50a）の冷媒と熱交換して該冷媒に吸熱される。熱回収熱交換器（68）を通過した再生用空気は、排気（EA）として室外へ排出される。
【０１２２】
以上のように、本実施形態２では、吸着ロータ（31）及び第２除湿ユニット（20）の再生側吸着熱交換器の再生に用いられなかった再生用空気の余剰の熱が、第３冷媒回路（50a）の冷媒に回収され、再生熱交換器（65）に搬送されて再生用空気の加熱に用いられる。
【０１２３】
−還気通路における動作−
一方、調湿空間（S）の空気の一部は、排気（EA）として室外へ排出される。また、調湿空間（S）の空気の一部は、還気通路（58）に流入する。還気通路（58）を流れる空気は、還気冷却熱交換器（67）によって冷却された後、給気通路（40）へ返送される。この返送空気は、第２除湿ユニット（20）で除湿された給気と混合される。第２除湿ユニット（20）で除湿された給気と、調湿空間（S）から返送された空気とでは、返送された空気の方が低湿となっている。このため、第２除湿ユニット（20）で除湿された給気は、返送空気と混合されることで、更に低湿となる。この低湿の給気の一部が第２再生用空気通路（51）に流入することにより、吸着ロータ（31）での再生能力が向上する。
【０１２４】
還気通路（58）を流れる空気は、還気ファン（59）によって給気通路（40）へ押し込まれる。ここで、還気ファン（59）を設けずに給気ファン（63）だけで室内空気を給気通路（40）に吸い込む構成では、ダクトの外から高湿の室外空気を吸い込んで給気（SA）の湿度が高くなるおそれがあるが、本実施形態では還気ファン（59）で空気を給気通路（40）へ押し込んでいるため、系内が陽圧になり、高湿の外気を吸い込むのが防止される。したがって、給気（SA）の湿度が上昇するのを防止できる。
【０１２５】
以上のような実施形態２においても、実施形態１と同様の効果を奏することができる。
【０１２６】
また、上記実施形態２によれば、第１除湿ユニット（60）において冷却除湿されて再生用空気通路（50）に流入した低温且つ低湿の再生用空気に、吸着ロータ（31）を再生した後の余剰の熱を有する再生用空気を合流させることとした。そのため、再生用空気通路（50）の低温且つ低湿の再生用空気を、吸着ロータ（31）の再生に用いられなかった再生用空気の余剰の熱を用いて昇温させることができる。従って、再生側吸着熱交換器の再生能力を向上させることができる。
【０１２７】
また、上記実施形態２によれば、室外から給気通路（40）に取り込まれ、第１除湿ユニット（60）及び第２除湿ユニット（20）において除湿された給気の一部を第２再生用空気通路（51）に流入させて、吸着ロータ（31）の再生に用いることとした。そのため、室外空気を除湿することなく加熱して吸着ロータ（31）の再生に用いる場合に比べて、再生用空気の絶対湿度を低くすることができるため、吸着ロータ（31）の再生能力を向上させることができる。また、このように第２再生用空気通路（51）の再生用空気の絶対湿度を低くすることにより、再生用空気通路（50）に合流後の再生用空気の絶対湿度も抑えることができるため、吸着除湿ユニット（20）の再生側吸着熱交換器の再生能力も向上させることができる。よって、再生用空気通路（50）において放熱器（65）での再生用空気への放熱量が少ない場合であっても、再生側吸着熱交換器を十分に再生することができる。
【０１２８】
《その他の実施形態》
上記実施形態については、以下のような構成としてもよい。
【０１２９】
また、上記各実施形態では、吸着剤として、シリカゲルやゼオライト等の主に水蒸気の吸着を行う材料だけでなく、水蒸気の吸着と吸収の両方を行う材料を用いてもよい。具体的には、例えば、吸湿性を有する有機高分子材料が吸着剤として用いることができる。吸着剤として用いられる有機高分子材料では、分子中に親水性の極性基を有する複数の高分子主鎖が互いに架橋されており、互いに架橋された複数の高分子主鎖が三次元構造体を形成している。このような吸着剤は、水蒸気を捕捉（即ち、吸湿）することによって膨潤する。この吸着剤が吸湿することによって膨潤するメカニズムは、以下のようなものと推測される。つまり、この吸着剤が吸湿する際には、親水性の極性基の回りに水蒸気が吸着され、親水性の極性基と水蒸気が反応することで生じた電気的な力が高分子主鎖に作用し、その結果、高分子主鎖が変形する。そして、変形した高分子主鎖同士の隙間へ水蒸気が毛細管力によって取り込まれ、水蒸気が入り込むことによって複数の高分子主鎖からなる三次元構造体が膨らみ、その結果、吸着剤の体積が増加する。
【０１３０】
このように、上記吸着剤では、水蒸気が吸着剤に吸着される現象と、水蒸気が吸着剤に吸収される現象の両方が起こる。つまり、この吸着剤には、水蒸気が収着される。また、この吸着剤に捕捉された水蒸気は、互いに架橋された複数の高分子主鎖からなる三次元構造体の表面だけでなく、その内部にまで入り込む。その結果、この吸着剤には、表面に水蒸気を吸着するだけのゼオライト等に比べ、多量の水蒸気が捕捉される。
【０１３１】
また、上記吸着剤は、水蒸気を放出（即ち、放湿）することによって収縮する。つまり、この吸着剤が放湿する際には、高分子主鎖同士の隙間に捕捉された水の量が減少し、複数の高分子主鎖で構成された三次元構造体の形状が元に戻ることにより、吸着剤の体積が減少する。
【０１３２】
なお、上記水蒸気の吸着と吸収の両方を行う材料は、吸湿することによって膨潤して放湿することによって収縮するものであれば上述した材料に限定されず、例えば、吸湿性を有するイオン交換樹脂であってもよい。
【０１３３】
また、上記実施形態２では、第２除湿ユニット（20）と第３除湿ユニット（30）との間に中間冷却器を設けて空気の冷却をするようにしてもよい。
【０１３４】
また、上記実施形態２では、調湿空間（S）の空気（RA）を給気通路（40）へ返送する還気通路（58）を設けているが、還気通路（58）は必ずしも設けなくてもよい。還気通路（58）を設けない場合、調湿空間（S）から室外へ空気を排気するように構成されていてもよい。
【０１３５】
また、上記実施形態２において、除湿システム（10）は、第１除湿ユニット（60）と第３除湿ユニット（30）を備える既設のシステムに対して、第２除湿ユニット（20）を上記第１除湿ユニット（60）と第３除湿ユニット（30）の間に接続できるオプション取り付け型のシステムに構成するとよい。このような構成によれば、従来から用いられている外気冷却熱交換器（61）と吸着ロータ（31）のみからなる２段型のシステムに、吸着熱交換器（22,24）を有する第２除湿ユニット（20）を取り付けて、既設システムの省エネルギー化を実現することが可能になる。
【０１３６】
なお、以上の実施形態は、本質的に好ましい例示であって、本発明、その適用物、あるいはその用途の範囲を制限することを意図するものではない。
【産業上の利用可能性】
【０１３７】
以上説明したように、本発明は、表面に吸着剤が設けられた吸着熱交換器を有する除湿ユニットを用いて調湿空間を除湿する除湿システムについて有用である。
【符号の説明】
【０１３８】
１０      除湿システム
２０      第２除湿ユニット（吸着除湿ユニット）
２０ａ    第２冷媒回路（冷媒回路）
２１      圧縮機
２２      第１吸着熱交換器（吸着熱交換器）
２３      膨張弁（膨張機構）
２４      第２吸着熱交換器（吸着熱交換器）
３１      吸着ロータ
４０      給気通路
５０      再生用空気通路
５０ａ    第３冷媒回路（冷媒回路）
５１      第２再生用空気通路
６０      第１除湿ユニット（冷却除湿ユニット）
６５      再生熱交換器（放熱器）
６８      熱回収熱交換器（吸熱器）
６９      加熱器
Ｓ      調湿空間
【図１】
2014126268.tif 000003
【図２】
2014126268.tif 000004
【図３】
2014126268.tif 000005
【図４】
2014126268.tif 000006
【図５】
2014126268.tif 000007
【図６】
2014126268.tif 000008
【図７】
2014126268.tif 000009